(57)【特許請求の範囲】
【請求項１】
妻垂木カバーとカバー取付具とを備え、妻垂木カバーは、上面カバー部と側面カバー部とを有しており、上面カバー部は、妻垂木の上面側に位置しており、側面カバー部は、妻垂木の側面側に位置しており、カバー取付具は、妻垂木カバーの上面カバー部の仮置き部を有し、妻垂木の側面に取付けられており、カバー取付具の側面と妻垂木カバーの側面カバー部との間には弾性係合部が形成されており、妻垂木カバーは、仮置き部に載せた状態で押し込んでカバー取付具に弾性係合により取付けられていることを特徴とする簡易建物。
【発明の詳細な説明】
【技術分野】
【０００１】
本発明は、建物の外壁に隣接して設置される簡易建物に関する。
【背景技術】
【０００２】
建物の外壁に隣接して設置される簡易建物は、下記非特許文献１に記載されているように、床上に立設された支柱上に屋根を載置固定したものが知られている。
この屋根は、下記非特許文献２に記載されているように、桁、垂木掛け、妻垂木、垂木、中桟とで形成された屋根枠に複数のパネルを載置して固定することで構成されている。
パネルは、パネルの上面側から妻垂木および垂木のそれぞれに対向するように載置されたパネル押さえの上面からのビス止めにより固定されている。
【先行技術文献】
【非特許文献】
【０００３】
【非特許文献１】三協立山株式会社が２０１９年２月に発行したカタログ「ウォールエクステリアカタログ２０１９−２０２０（ＳＴＷ０５１１Ａ）」の第３３５ページに記載された簡易建物。
【非特許文献２】三協立山株式会社が２０１９年３月に発行した施工要領書「テラス囲い  晴れもようｗｉｔｈ（ＨＺ２１１０）／床仕様  本体施工編」の第５４ページに記載された施工要領。
【発明の概要】
【発明が解決しようとする課題】
【０００４】
非特許文献１および非特許文献２に記載の簡易建物は、障子や囲い壁を備えて外部から閉鎖された内部空間を有するものがあるが、このような簡易建物では、雨水による内部空間への漏水を防ぐことが求められている。
【課題を解決するための手段】
【０００５】
前述の課題を解決するために請求項１記載による簡易建物は、妻垂木カバーとカバー取付具とを備え、妻垂木カバーは、上面カバー部と側面カバー部とを有しており、上面カバー部は、妻垂木の上面側に位置しており、側面カバー部は、妻垂木の側面側に位置しており、カバー取付具は、妻垂木カバーの上面カバー部の仮置き部を有し、妻垂木の側面に取付けられており、カバー取付具の側面と妻垂木カバーの側面カバー部との間には弾性係合部が形成されており、妻垂木カバーは、仮置き部に載せた状態で押し込んでカバー取付具に弾性係合により取付けられていることを特徴とする。
【発明の効果】
【０００６】
本発明は、以上の構成により、雨水による内部空間への漏水を防げる簡易建物を提供できる。
【図面の簡単な説明】
【０００７】
【図１】本発明に係る実施形態の簡易建物の切欠側面図である。
【図２】図１の切欠正面図である。
【図３】図２の（Ａ）-（Ａ）線拡大断面図であり、簡易建物の正面側の上方を示す。
【図４】図２の（Ａ）-（Ａ）線拡大断面図であり、簡易建物の躯体側の上方を示す。
【図５】図２の（Ａ）-（Ａ）線拡大切欠断面図であり、簡易建物の正面側の下方を示す
【図６】図１の（６）-（６）線拡大断面図であり、簡易建物の上方を示す。
【図７】図２の（７）矢視図であり、キャップ材を外した状態を示す。
【図８】図５の（８）矢視図である。
【図９】（ａ）は、図５の要部拡大図であり、（ｂ）はカバー目板を取り外した状態を示す。
【図１０】外壁パネル端部押さえ具の詳細図であり、（ａ）は、正面図、（ｂ）は側面図、（ｃ）は、外壁パネルの厚みに応じた動作を示す。
【図１１】図３において、他の形態の桁側天井材受けおよび天井材を取付けた状態を示す。
【図１２】図６において、図１１で示す桁側天井材受けおよび天井材を取付けた状態を示す。
【図１３】図４において、他の形態の天井材を取付けた状態を示す。
【図１４】他の外壁パネルを取付けた状態を示す断面図である。
【発明を実施するための形態】
【０００８】
以下、図面を参照して本発明に係る実施形態の簡易建物Ａを説明する。
以下の説明で、異なる図における同一符号は同一機能の部位を示しており、各図における重複説明は適宜省略する。
【０００９】
［簡易建物の構成］
本実施形態で示す簡易建物Ａは、図１および図２に示すように、外部から閉鎖された閉鎖部位Ａ１と、外部に対して開放された開放部位Ａ２を有して、躯体Ｂに隣接するように設置されるものである。
簡易建物Ａは、地面Ｇに立設された支柱１の上端に、閉鎖部位Ａ１および開放部位Ａ２で共通の屋根２が載置固定されている。
閉鎖部位Ａ１は、障子Ａ１０、腰壁Ａ１１、窓Ａ１２等を備えて、独立した内部空間Ａ３を有している。
図示においては、左側に閉鎖部位をＡ１を配置し、右側に開放部位Ａ２を配置した構成としているが、本発明では、閉鎖部位Ａ１と開放部位Ａ２が左右逆態様の簡易建物Ａも含まれる。
また、閉鎖部位のみを有する簡易建物Ａとしてもよい。
【００１０】
［屋根の構成］
屋根２は、図１、図３、図４、図６に示すように、躯体Ｂ側から前方に向かって低くなる傾斜屋根である。
屋根２は、正面側に配置された桁材２ａと躯体Ｂ側に配置された垂木掛け２ｂとにわたって、妻垂木２ｃおよび複数の垂木２ｄとが架設され、妻垂木２ｃと垂木２ｄおよび隣り合う垂木２ｄ同士の間にわたって、屋根パネル２ｅを架設してある。
妻垂木２ｃおよび垂木２ｄは、躯体Ｂ側から前方に向かって低くなるように傾斜状に設けられている。
屋根パネル２ｅは、上面からパネル押さえ２ｆ、２ｇによって、妻垂木２ｃおよび垂木２ｄの上面にビス止めにより固定されている。
パネル押さえ２ｆ、２ｇの上面は、屋根パネル２ｅの上面よりも高い位置にあって、雨水がビス止め部２０ｆに至らないようにしている。
【００１１】
妻垂木２ｃの外側面には、図１、図３、図４、図６に示すように、妻垂木２ｃを隠す妻垂木カバー２ｈが配置されている。
妻垂木カバー２ｈは、図６に示すように、妻垂木２ｃの外側面側に配置される側面カバー部２０ｈと、屋根パネル２ｅを挟んで妻垂木２ｃの直上に配置されたパネル押さえ２ｆの上面側に配置される上面カバー部２１ｈとを一体に備えた略Ｌ形に形成されている。
また、側面カバー部２０ｈの下端には、支柱１側に向かって突出する返し２２ｈが備えられており、返し２２ｈの先端が支柱１に対して離間した状態となるように設けられている。
妻垂木カバー２ｈは、図１に示すように、妻垂木２ｃの前後方向の全域にわたる長さとして形成されており、図６に示すように、妻垂木２ｃの外側面に固定されたカバー取付具２ｉを介して妻垂木２ｃに取付けられている。
カバー取付具２ｉは、後述する弾性係合部２ｊにおける上下２か所の係合片２１ｊの間の位置で、
カバー取付具２ｉの外方から第１ビス９ａでねじ止めすることにより妻垂木２ｃに固定されている。
側面カバー部２０ｈは、妻垂木２ｃの外側面およびカバー取付具２ｉの外側面の略全域をカバーし、上面カバー部２１ｈは妻垂木２ｃの上面の略全域をカバーしていると共に、パネル押さえ２ｆのねじ止め部２０ｅをカバーしている。
上面カバー部２１ｈの先端は、ねじ止め部２０ｆを隠すように下向き傾斜として形成されており、雨水の侵入を抑制できるようにされている。
【００１２】
図６に示すように、側面カバー部２０ｈとカバー取付具２ｉとの対向面にわたって、前述の弾性係合する弾性係合部２ｊが設けられている。
弾性係合部２ｊは、側面カバー部２０ｈ側に設けられた上下２か所の被係合片２０ｊと、カバー取付具２ｉ側に設けられた前述の上下２か所の係合片２１ｊからなり、被係合片２０ｊを係合片２１ｊに押し込むことで、互いに弾性変形して係合され、この係合によって、妻垂木カバー２ｈがカバー取付具２ｉに取付けられている。
また、弾性係合部２ｊは、妻垂木カバー２ｈを引き抜くことで係合が解除できるようにされている。
【００１３】
図６に示すように、カバー取付具２ｉには、上端に上面カバー部２１ｈと対向するように設けられた仮置き部２０ｉが備えられている。
仮置き部２０ｉは、妻垂木カバー２ｈを取付ける際に、上面カバー部２１ｈを載せておくものであり、載せた状態で妻垂木カバー２ｈを押し込むことで、妻垂木カバー２ｈをガイドしながらカバー取付具２ｉに取付けることができるようにされている。
妻垂木カバー２ｈの取付け状態においては、上面カバー部２１ｈを仮置き部２０ｉに、上面カバー部２１ｈの上方から第２ビス９ｂでねじ止めして固定することで、妻垂木カバー２ｈの取付け状態を保持している。
妻垂木カバー２ｈには、パネル押さえ２ｆに向かって突設された垂下片２１ｉが備えられている。
垂下片２１ｉは、先端がパネル押さえ２ｆに当接あるいは近接する程度に突設されており、妻垂木カバー２ｈに対する上方からの力に対して潰れを防止すると共に、雨水浸入を防止している。
【００１４】
屋根２には、図１、図３、図４、図６に示すように、屋根２の傾斜と同じ傾斜として設けられた天井材２ｋが備えられている。
天井材２ｋは、図３、図４、図６に示すように、妻垂木２ｃと垂木２ｄとの間および垂木２ｄ同士の間に一枚ずつ設けられる板状のものであり、天井材受け２０によって支持されている。
天井材受け２０は、図３に示すように、垂木２ｄに固定された桁側天井材受け２ｌと、図４に示すように、垂木２ｄに固定された躯体側天井材受け２ｍと、図３、４に示すように、天井材端部カバー取付金具２１を介して妻垂木２ｃにそれぞれ取付けられた、天井材端部カバー２ｎとを備えている。
妻垂木２ｃの側面には、天井材端部カバー取付金具２１が固定されており、その下面に、天井材端部カバー２ｎが固定されている。
天井材端部カバー２ｎは、図３、４に示すように、妻垂木２ｃと同じ角度で、躯体側から前方に向かって低くなる傾斜状に配置されている。
また、天井材端部カバー２ｎには、凹部２０ｎ設けられており、この凹部２０ｎに天井材２ｋの端部を嵌合することで、天井材２ｋを支持している。
垂木２ｄの下方には、天井材押さえ材２ｏとスペーサ２０ｏが設けられており、この天井材押さえ材２ｏとスペーサ２０ｏとで天井２ｋの端部を挟むことで、天井２ｋを支持している。
【００１５】
躯体側天井材受け２ｍは、垂木掛け２ｂの長手方向の全長にわたる長さを有し、図４に示すように、垂木掛け２ｂの下方に、垂木掛けの長手方向に沿って配置されていると共に、躯体Ｂの開口部Ｂ１の上縁Ｂ１０よりも上方に配置され、天井材２ｋの躯体Ｂ側の端部を呑み込むように支持している。
躯体側天井材受け２ｍの位置は、躯体Ｂに突出するように設けられる最大の構造物(図示ではシャッター)１００の上端よりも上方で、かつ突出する構造物１００に天井材２ｋが接触させない位置に設定することが好ましい。
【００１６】
桁側天井材受け２ｌは、桁材２ａの長手方向の全長にわたる長さを有し、図３に示すように、垂木２ｄに固定されており、天井材２ｋの桁２ａ側の端部を呑み込むように支持している。
天井材端部カバー２ｎは、妻垂木２ｃの長手方向の略全長にわたる長さを有し、図６に示すように、天井材２ｋの端部を呑み込むように支持している。
【００１７】
躯体側天井材受け２ｍには、図４に示すように、天井材２ｋの上面よりも高所に、躯体側天井材受け２ｍの長手方向の全長にわたって、躯体側排水路２０ｍが設けられている。
躯体側排水路２０ｍは、躯体Ｂ側から前方に向かって低くなるように傾斜状に設けられており、躯体側天井材受け２ｍの結露水を前方に流して天井材２ｋの上面に導くようにされている。
桁側天井材受け２ｌには、図３に示すように、天井材２ｋの上面よりも下方に、桁側天井材受け２ｌの長手方向の全長にわたって桁側排水路２０ｌが設けられている。
桁側排水路２０ｌは、天井材２ｋの上面を流下する水を受けるようにされている。
天井材２ｋの上面は、躯体側排水路２０ｍから導かれた水を桁側排水路２０ｌに流下案内する排水案内路２０ｋとして確保されている。
桁側排水路２０ｌの左右端部は、腕木２１ｌに接続されており、桁側排水路２０ｌに至った水を左右方向に流して腕木２１ｌに排水するようにされている。
腕木２１ｌの水は、たとえば、腕木２１ｌに設けられた排水孔(図示せず)から外部へ排水する。
【００１８】
図６に示すように、垂木２ｄの側面と天井材端部カバー２ｎとには、天井材２ｋの上方で断熱材２ｐを載置する断熱材受け２２が設けられており、必要に応じて断熱材２ｐを設置することで閉鎖部位Ａ１の室内の温度上昇を抑制することができる。
【００１９】
このような構造の屋根２を備えた簡易建物Ａは、妻垂木カバー２ｈにより、妻垂木２ｃの外側面および上面をカバーしているので、妻垂木２ｃの外側面および上面からの雨水の侵入を防ぐことができる。
また、妻垂木カバー２ｈにより、妻垂木２ｃおよびカバー取付具２ｉの外側面および上面を隠すことができるので、外観的に良好な意匠性を備えることができる。
また、躯体側天井材受け２ｍが、躯体Ｂの開口部Ｂ１の上縁Ｂ１０よりも上方に配置されているので、躯体Ｂ側に設けられた構造物１００が干渉することなく、簡易建物Ａを躯体Ｂに隣接させて設置することができる。
また、屋根パネル２ｅの内側に水が発生しても、この水が躯体側排水路２０ｍから天井材２ｋの上面の排水案内路２０ｋを経て桁側排水路２０ｌに排水することができるので、天井材２ｋの上面に水の残留を防ぐことができ、残留水による腐食やカビの発生を防止することができる。
【００２０】
［桁材の構成］
桁材２ａは、図１および図７に示すように、閉鎖部位Ａ１側の左桁材２０ａおよび開放部位Ａ２側の右桁材２１ａを備えている。
左桁材２０ａは、閉鎖部位Ａ１側の左右２本の支柱１の上端に、端部が支柱１の側面と略同面となるように載置されている。
右桁材２１ａは、左桁材２０ａと端部２００、２１０同士を対向（突合せまたは近接）させた状態で連結部材２２ａを介して連結固定されている。
連結部材２２ａは、左桁材２０ａと右桁材２１ａの端部２００、２１０からそれぞれ嵌合することにより、左桁材２０ａと右桁材２１ａとを連結している。
【００２１】
桁材２ａの前面には、図１〜図３、図７に示すように、桁カバー３が取付けられている。
桁カバー３は、桁材２ａの前面に設けられた排水樋２０ｃを前面から隠すためのカバーであり、左桁材２０ａの排水樋２０ｃの前面を覆う左桁カバー３ａと、右桁材２１ａの排水樋２０ｃの前面を覆う右桁カバー３ｂとを備えている。
左桁カバー３ａと右桁カバー３ｂとは、図２および図７に示すように、支柱１の左右中央となる部位で対向（突合せまたは近接）するように配置されている。
左桁カバー３ａと右桁カバー３ｂとは、それぞれ排水樋２０ｃの上端に係合させると共に、排水樋２０ｃの底側でねじ止めにより取付けられている。
閉鎖部位Ａ１と開放部位Ａ２が左右逆態様の簡易建物Ａの場合には、右桁材２１ａが左右２本の支柱１の上端に、端部が支柱１の側面と略同面となるように載置される。
【００２２】
［支柱の構成］
支柱１には、図１〜図３、図７に示すように、支柱カバー４が取付けられている。
支柱カバー４は、支柱１の前面を覆うように配置されるカバー本体４ａと、カバー本体４ａの上端から上方に延設された延設部４ｂとを備えている。
延設部４ｂは、カバー本体４ａの左右幅と同じ幅として延設されており、支柱１の上方における左桁材２０ａの前面で、左右方向で対向する左桁カバー３ａと右桁カバー３ｂの端部２００、２１０を前面から覆うように配置されている。
延設部４ｂの上端には、キャップ４０ｂが取付けられており、このキャップ４０ｂによって、左桁カバー３ａと右桁カバー３ｂの端部２００、２１０を上方から覆っている。
【００２３】
このような桁カバー３および支柱カバー４を備えた簡易建物Ａは、桁カバー３が、桁材２ａの前面をカバーし、支柱カバー４が、支柱１の前面をカバーすることで、支柱１および桁材２ａの素材や連結部分、桁材２ａの排水樋２０ｃを隠すことができる。
また、支柱カバー４における延設部４ｂが、桁材２ａの前面側で、左桁カバー３ａと右桁カバー３ｂの端部２００、２１０をカバーすることで、端部２００、２１０同士のつなぎ目部分を隠すことができる。
これによって、簡易建物Ａの意匠性の向上が期待できる。
また、桁カバー３は、表面に木目調等の模様や着色を施すことで、意匠性の向上がより期待できる。
【００２４】
［腰壁の構成］
腰壁Ａ１１は、図１および図２、図５、図８に示すように、壁材５と、壁材５を支持する枠体Ｃとを備えている。
壁材５は、室外側に取付けられた外壁パネル(パネル)５ａと、室内側に取付けられた内壁パネル(パネル)５ｂとを備えている。
枠体Ｃは、上枠(枠材)１０と、下枠１１と、左右竪枠１２、１３と、上枠１０と下枠１１との間に設けられた胴縁１４からなり、胴縁(支持体)１４に外壁パネル５ａおよび内壁パネル５ｂが取付けられ、上枠１０の上端には、窓Ａ１２が載置固定されている。
外壁パネル５ａおよび内壁パネル５ｂは、サイディングパネルであり、図５に示すように複数のパネル材５０を、連結金具５１を介して上下方向で重ねるように嵌合させることで構成されている。
パネル材５０は、窯業系または木質系の無垢材のものである。
【００２５】
図９に示すように、外壁パネル５ａは、胴縁１４に固定された外壁パネル端部押さえ具(パネル端部押さえ具)６ａにより支持され、内壁パネル５ｂは、胴縁１４に固定された内壁パネル端部押さえ具(パネル端部押さえ具)６ｂにより支持されており、取付け状態において、外壁パネル５ａの上端部５０ａと内壁パネル５ｂの上端部５０ｂが、上枠１０に呑み込まれている。
なお、内壁パネル端部押さえ具６ｂは、外壁パネル端部押さえ具６ａの形状および作用と同じであり、胴縁１４を境に左右対称として設けられるものであるので、外壁パネル端部押さえ具６ａを説明することで、内壁パネル端部押さえ具６ｂの説明は省略する。
【００２６】
外壁パネル端部押さえ具６ａは、図９および図１０に示すように、胴縁１４にねじ止めにより固定される固定面部６０ａと、外壁パネル５ａの見付面５１ａに当接する見付面当接部６１ａと、外壁パネル５ａの上端部５０ａ側にあって、固定面部６０ａと見付面当接部６１ａとを連結する連結部６２ａとを備えて、側面視略クランク形状に形成されている。
見付面当接部６１ａは、図１０（ｂ）に示すように、固定面部６０ａに対して胴縁１４に向かって傾斜するように設けられており、図１０（ｃ）に示すように、外壁パネル５ａの厚みに応じて外方側に曲がり、この曲がりから元に戻る方向の反発力が作用するようにされている。
この反発力によって、図１０（ｃ）に示すように、見付面当接部６１ａと胴縁１４とで外壁パネル５ａを挟持して支持するようにされている。
また、見付面当接部６１ａは、図１０（ａ）に示すように、上下方向に（図示において２本）のスリット６１を設けることによって、複数（図示において３本）の独立した見付面当接部６１ａが形成されている。
このような見付面当接部６１ａは、外壁パネル５ａの表面に凹凸があっても、３本の見付面当接部６１ａのそれぞれが、凹凸に応じて曲がることで、外壁パネル５ａの表面に対してしっかりと当接させることができる。
なお、スリット６１の有無については、限定するものではなく、スリット６１の本数についても限定するものではない。
【００２７】
このような外壁パネル５ａおよび内壁パネル５ｂを備えた簡易建物Ａは、外観および内観ともに、意匠性の向上が期待できる。
また、外壁パネル端部押さえ具６ａおよび内壁パネル端部押さえ具６ｂによって、外壁パネル５ａおよび内壁パネル５ｂの上端部側を支持することができるので、外壁パネル５ａおよび内壁パネル５ｂの取付け時に、釘やねじ等が不要であり、これによってパネル材５０の破損等を防止することができる。
【００２８】
図１、図５、図８、図９に示すように、腰壁Ａ１１の室内側の上方には、室内の左右方向に沿って照明具７が取付けられている。
照明具７は、上枠（枠材）１０の室内側の見付片部１０１を構成するものであり、光源７０および電装品７１を備えた照明具本体７ａと、照明具本体７ａの見付面に着脱自在に取付けられたカバー目板７ｂと、照明具７の下端側に開口された光源照射口７ｃとを備えている。
上枠１０は、上片部１０２と、照明具７側の見付片部１０１と、外方側の外側見付片部１０３からなり、照明具７および外側見付片部１０３を上片部１０２に取付けることによって構成されている。
見付片部１０１および外側見付片部１０３は、上片部１０２に垂下された支持板１０４に対してねじ止めすることで固定されている。
外側見付片部１０３には、目板１０５によってねじ止め部が塞がれている。
【００２９】
照明具本体７ａは、図９に示すように、上枠１０の室内側の見付片部１０１を有しており、光源７０が収容される光源収容部７０ａと、電装品７１が収容される電装品収容部７１ａとを備えている。
光源収容部７０ａと電装品収容部７１ａとは、図９に示すように、隔壁７２ａによって上下方向で隔てられている。
光源収容部７０ａは、図９に示すように、光源照射口７ｃと上下方向で対向しており、下方照射するように光源７０が取付けられている。
電装品収容部７１ａは、図８および図９に示すように、上壁７３ａおよび隔壁７２ａならびに左右側壁７４ａ、７５ａによって、見付面側が開放された凹状に形成されており、図９（ａ）に示すように、カバー目板７ｂによって塞がれ、図９（ｂ）に示すようにカバー目板７ｂを外すことで開放される。
照明具本体７ａの形状は、光源収容部７０ａと、電装品７１が収容される電装品収容部７１ａを除けば、外側見付片部１０３と対称形状であり、仮に、照明具７を設けない場合には、外側見付片部１０３を反転させることで、外側見付片部１０３を照明具が取付けられる位置に取付けることができる。
また、外側見付片部１０３に換えて照明具７を取付けることもできる。
【００３０】
図９に示すように、照明具本体７ａとカバー目板７ｂとにわたって、目板用弾性係合部７ｄが設けられている。
目板用弾性係合部７ｄは、照明具本体７ａの上壁７３ａに設けられた係合片７０ｄと、隔壁７２ａに設けられた係合片７０ｅと、カバー目板７ｂ側の上壁７０ｂに設けられた被係合片７１ｄと、中間壁７１ｂに設けられた被係合片７１ｅからなり、係合片７０ｄに被係合片７１ｄを、係合片７０ｅに被係合片７１ｅをそれぞれ押し込むことで、互いに弾性変形して係合され、この係合によって、カバー目板７ｂが照明具本体７ａに取付けられている。
また、目板用弾性係合部７ｄは、カバー目板７ｂを引き抜くことで係合が解除できるようにされている。
【００３１】
カバー目板７ｂは、前述の上壁７０ｂと、前述の中間壁７１ｂと、下壁７２ｂと、上壁７０ｂ、中間壁７１ｂ、下壁７２ｂを繋ぐように一体形成されたカバー部７３ｂとで形成されている。
下壁７２ｂは、先端が照明具本体７ａの見付片部１０１に対して離間するように形成されており、これによって、下壁７２ｂの先端と見付片部１０１との間に光源照射口７ｃが形成される。
【００３２】
このような照明具７を備えた簡易建物Ａは、内壁パネル５ｂに対して光を照射することができるので、室内の雰囲気を良好なものとすることができる。
なお、上記のような腰壁Ａ１１の構造は、例えば、フェンスにも適用できる。
【００３３】
［天井材受けおよび天井材の他の形態］
次に、図１１〜図１３を参照して、桁側天井材受け２ｌおよび天井材２ｋの他の形態を説明する。
桁側天井材受け２ｌは、桁側排水路２０ｌの面積が大きく確保されており、より高い排水機能を有している。
天井材２ｋは、例えば、アルミ形材であって、妻垂木２ｃと垂木２ｄの間および垂木２ｄ同士の間に、桁材２ａの長手方向に沿って、複数の天井材２ｋを並べられている。
天井材２ｋは、天井下地材２３に取付けらており、天井材２ｋの端部は、桁側天井材受け２ｌおよび躯体側天井材受け２ｍに呑み込まれるように支持されている。
天井下地材２３は、下地材受け取付金具２４に取付けた下地材受け２５に取付けられている。
本形態において、断熱材２ｐを設置する場合には、断熱材２ｐを天井下地材２３の上面に載置する。
本形態の桁側排水路２０ｌも、桁側排水路２０ｌの左右端部が、腕木２１ｌに接続されており、桁側排水路２０ｌに至った水を左右方向に流して腕木２１ｌに排水するようにされている。
腕木２１ｌの水は、腕木２１ｌに設けられた排水孔(図示せず)から外部へ排水する。
【００３４】
［腰壁の他の例］
図１１に示すように、外壁パネル５ａおよび内壁パネル５ｂは、パネル材５０を窯業系または木質系の無垢材からなるパネル材５０に換えて、金属板を所定形状に形成したパネル材５０を用いることもできる。
この場合、外壁パネル端部押さえ具６ａを使用せず、胴縁１４に直接ねじ止めによって固定する。
この腰壁Ａ１１においては、外壁パネル５ａおよび内壁パネル５ｂの形態が異なるだけで、上枠１０の構成が前述の実施形態と同じであるので、前述の実施形態と同じ照明具７および外側見付片部１０３を取付けることができる。
外壁パネル５ａおよび内壁パネル５ｂは、一枚物とすることができる。
【００３５】
以上、本発明に係る実施形態の建具を、図面を参照して詳述してきたが、具体的な構成は、これらの実施の形態に限られるものではなく、本発明の要旨を逸脱しない範囲の設計の変更等があっても本発明に含まれる。
【００３６】
また、前述の各実施形態は、その目的および構成等に特に矛盾や問題がない限り、互いの技術を流用して組み合わせることが可能である。
【符号の説明】
【００３７】
Ａ：簡易建物
Ａ１：閉鎖部位
Ａ２：開放部位
Ａ３：内部空間
Ａ１０：障子
Ａ１１：腰壁
Ａ１２：窓
Ｂ：躯体
Ｂ１：開口部
Ｂ１０：上縁
Ｃ：枠体
Ｇ：地面
１：支柱
２：屋根
２ａ：桁材
２ｂ：垂木掛け
２ｃ：妻垂木
２ｄ：垂木
２ｅ：屋根パネル
２ｆ：パネル押さえ
２ｇ：パネル押さえ
２ｈ：妻垂木カバー
２ｉ：カバー取付具
２ｊ：弾性係合部
２ｋ：天井材
２ｌ：桁側天井材受け
２ｍ：躯体側天井材受け
２ｎ：天井材端部カバー
２ｏ：天井材押さえ材
２ｐ：断熱材
２０ａ：左桁材
２１ａ：右桁材
２２ａ：連結部材
２０ｃ：排水樋
２０ｅ：ねじ止め部
２０ｆ：ビス止め部
２０ｈ：側面カバー部
２１ｈ：上面カバー部
２２ｈ：返し
２０ｉ：仮置き部
２１ｉ：垂下片
２０ｊ：被係合片
２１ｊ：係合片
２０ｋ：排水案内路
２０ｌ：桁側排水路
２０ｍ：躯体側排水路
２０ｎ：凹部
２０ｏ：スペーサ
２０：天井材受け
２１：天井材端部カバー取付金具
２２：断熱材受け
２３：天井下地材
２４：下地材受け取付金具
２５：下地材受け
２００：端部
２１０：端部
３：桁カバー
３ａ：左桁カバー
３ｂ：右桁カバー
４：支柱カバー
４ａ：カバー本体
４ｂ：延設部
４０ｂ：キャップ
５ａ：外壁パネル
５ｂ：内壁パネル
５０ａ：上端部
５０ｂ：上端部
５１ａ：見付面
５０：パネル材
５１：連結金具
６ａ：外壁パネル端部押さえ具
６ｂ：内壁パネル端部押さえ具
６０ａ：固定面部
６１ａ：見付面当接部
６２ａ：連結部
６１：スリット
７：照明具
７ａ：照明具本体
７ｂ：カバー目板
７ｃ：光源照射口
７ｄ：目板用弾性係合部
７０ａ：光源収容部
７１ａ：電装品収容部
７２ａ：隔壁
７３ａ：上壁
７４ａ：左側壁
７５ａ：右側壁
７１ｂ：中間壁
７０ｂ：上壁
７２ｂ：下壁
７３ｂ：カバー
７０ｄ：係合片
７１ｄ：被係合片
７０ｅ：係合片
７１ｅ：被係合片
７０：光源
７１：電装品
９ａ：第１ビス
９ｂ：第２ビス
１０：上枠
１１：下枠
１２：左竪枠
１３：右竪枠
１４：胴縁
１００：構造物
１０１：見付片部
１０２：上片部
１０３：外側見付片部
１０４：支持板
１０５：目板
【要約】      （修正有）【課題】雨水による内部空間への漏水を防げる簡易建物の提供。【解決手段】簡易建物は、妻垂木カバー２ｈとカバー取付具２ｉとを備え、妻垂木カバーは、上面カバー部２１ｈと側面カバー部２０ｈとを有しており、上面カバー部は、妻垂木の上面側に位置しており、側面カバー部は、妻垂木の側面側に位置しており、カバー取付具は、妻垂木の側面に取付けられており、妻垂木カバーは、カバー取付具に取付けられている。【選択図】図６【図１】
0006858296.tif 000002
【図２】
0006858296.tif 000003
【図３】
0006858296.tif 000004
【図４】
0006858296.tif 000005
【図５】
0006858296.tif 000006
【図６】
0006858296.tif 000007
【図７】
0006858296.tif 000008
【図８】
0006858296.tif 000009
【図９】
0006858296.tif 000010
【図１０】
0006858296.tif 000011
【図１１】
0006858296.tif 000012
【図１２】
0006858296.tif 000013
【図１３】
0006858296.tif 000014
【図１４】
0006858296.tif 000015